(57)【要約】【課題】  付近を通過する人の不快感を低減しながら床下の上方空間の温度ムラを十分に低減することができるファンユニット及び制御方法を提供する。【解決手段】  ファンユニットＵａ等は、床下Ｂに所定の空間を持つ床構造において第１床下Ｂ１ａ等に設置されて床下Ｂの上方空間のサーキュレーションを行うファンユニットであって、吹出部１１ａ等と検知部１２ａ等と制御部１４ａ等とを備える。第１床下Ｂ１ａ等は、床下Ｂのうちの一部である。吹出部１１ａ等は、第１床下Ｂ１ａ等の上方空間Ａ１ａ等に空気を吹き出す。検知部１２ａ等は、接近情報を検知する。接近情報は、第１床下Ｂ１ａ等の上方空間Ａ１ａ等に人が近づいてきたことを示す情報である。制御部１４ａ等は、接近情報に基づいて、吹出部１１ａ等が吹き出す空気の風量を制御する。【選択図】      図１
2005331168.tif 000002
【特許請求の範囲】
【請求項１】
床下（Ｂ）に所定の空間を持つ床構造において前記床下（Ｂ）のうちの一部である第１床下（Ｂ１ａ，・・・）に設置されて前期床下（Ｂ）の上方空間のサーキュレーションを行うファンユニット（Ｕａ，・・・）であって、
前記第１床下（Ｂ１ａ，・・・）の上方空間（Ａ１ａ，・・・）に空気を吹き出す吹出部（１１ａ，・・・）と、
前記第１床下（Ｂ１ａ，・・・）の前記上方空間（Ａ１ａ，・・・）に人が近づいてきたことを示す情報である接近情報を検知する検知部（１２ａ，・・・）と、
前記接近情報に基づいて、前記吹出部（１１ａ，・・・）が吹き出す空気の風量を制御する制御部（１４ａ，・・・）と、
を備えた、
ファンユニット（Ｕａ，・・・）。
【請求項２】
前記制御部（１４ａ，・・・）は、前記床下（Ｂ）の上方空間に温度ムラがある場合に、前記吹出部（１１ａ，・・・）が吹き出す空気の風量を増加する、
請求項１に記載のファンユニット（Ｕａ，・・・）。
【請求項３】
前記床下（Ｂ）のうちの前記第１床下（Ｂ１ａ，・・・）とは別の一部である第２床下（Ｂ２ａ，・・・）の上方空間から空気を吸い込む吸込部（２１ａ，・・・）をさらに備えた、
請求項１又は２に記載のファンユニット（Ｕａ，・・・）。
【請求項４】
前記吹出部（１１ａ，・・・）及び前記吸込部（２１ａ，・・・）の少なくとも一方は、前記吸込部（２１ａ，・・・）から前記吹出部（１１ａ，・・・）へ向かう空気の流れを発生させるファン（Ｆａ，・・・）を有する、
請求項３に記載のファンユニット（Ｕａ，・・・）。
【請求項５】
前記検知部（１２ａ，・・・）は、超音波、電磁波及びマイクロ波の少なくとも１つが人で反射された波である反射波を検知すること又は人が発する赤外線を検知することにより、前記接近情報を検知する、
請求項１から４のいずれか１項に記載のファンユニット（Ｕａ，・・・）。
【請求項６】
前記床構造は、互いに接合可能な複数の単位構造（３０ａ，・・・）を有し、
前記単位構造（３０ａ，・・・）は、他の前記単位構造（３０ａ，・・・）に接合する単位接合部（３３ａ，・・・）を含み、
前記吹出部（１１ａ，・・・）及び前記吸込部（２１ａ，・・・）の少なくとも一方を前記単位接合部（３３ａ，・・・）に接続するファン接合部（１３ａ，・・・）をさらに備えた、
請求項３又は４に記載のファンユニット（Ｕａ，・・・）。
【請求項７】
前記吸込部（２１ａ，・・・）が吸い込んだ空気を清浄する空気清浄部（２５ａ，・・・）をさらに備えた、
請求項３又は４に記載のファンユニット（Ｕａ，・・・）。
【請求項８】
前記吹出部（１１ａ，・・・）が吹き出すための空気を清浄する空気清浄部（１５ａ，・・・）をさらに備えた、
請求項１から７のいずれか１項に記載のファンユニット（Ｕａ，・・・）。
【請求項９】
床下（Ｂ）に所定の空間を持つ床構造において前記床下（Ｂ）のうちの一部である第１床下（Ｂ１ａ，・・・）の上方空間（Ａ１ａ，・・・）に吹き出す空気が制御される制御方法であって、
前記第１床下（Ｂ１ａ，・・・）の前記上方空間（Ａ１ａ，・・・）に人が近づいてきたことを示す情報である接近情報が検知される検知ステップと、
前記接近情報に基づいて、前記第１床下（Ｂ１ａ，・・・）の前記上方空間（Ａ１ａ，・・・）に吹き出される空気の風量が制御される制御ステップと、
を備えた、
制御方法。
【発明の詳細な説明】
【技術分野】
【０００１】
本発明は、ファンユニット及び制御方法に関する。
【背景技術】
【０００２】
従来、オフィスなどの対象空間で空気調和機を運転したときに、対象空間の上下方向または水平方向において温度ムラが生じることがある。温度ムラは、対象空間に居る者へ不快感を与える原因になる。このような対象空間の温度ムラを減少させるために、対象空間の空気を強制的に攪拌または循環させるサーキュレータが従来より用いられている。
たとえば、特許文献１に記載されたサーキュレータでは、暖房装置と連動して、サーキュレータから発生する風による不快感（いわゆる冷風感）を感じない所定温度以上において、室内の上下温度差に基づいてサーキュレータの運転および停止の制御を行っている。
【０００３】
特許文献２に記載されたサーキュレータは、居室者に対して風が直接当たらないように風を上から吹き出すものであり、床側温度と天井側温度との温度差により送風機の駆動を制御している。さらに、体感風を低減するために、風速または風量をサインカーブなどの周期的に変化させたりすることによって強弱の変化を与えている。
【特許文献１】特開２００１−２５４９８１号公報（第１−５頁、第１−５図）
【特許文献２】特開平１１−８３１０３号公報（第１−１０頁、第１−１７図）
【発明の開示】
【発明が解決しようとする課題】
【０００４】
しかし、特許文献１や特許文献２の技術では、床下の上方空間の温度ムラを十分に低減するためには、サーキュレータのファンを大きくするかサーキュレータの台数を増やす必要がある。サーキュレータのファンを大きくした場合、サーキュレータが大きな騒音を発生するため、サーキュレータ付近を通過する人に不快感を与えるおそれがある。また、サーキュレータの台数を増やした場合、床下の上方空間において人の移動を妨げる可能性があるため、サーキュレータ付近を通過する人に不快感を与えるおそれがある。
【０００５】
そこで、本発明の課題は、付近を通過する人の不快感を低減しながら床下の上方空間の温度ムラを十分に低減することができるファンユニット及び制御方法を提供することにある。
【課題を解決するための手段】
【０００６】
第１発明に係るファンユニットは、床下に所定の空間を持つ床構造において第１床下に設置されて床下の上方空間のサーキュレーションを行うファンユニットであって、吹出部と検知部と制御部とを備える。第１床下は、床下のうちの一部である。吹出部は、第１床下の上方空間に空気を吹き出す。検知部は、接近情報を検知する。接近情報は、第１床下の上方空間に人が近づいてきたことを示す情報である。制御部は、接近情報に基づいて、吹出部が吹き出す空気の風量を制御する。
【０００７】
このファンユニットでは、検知部が、接近情報を検知する。制御部が、接近情報を受け取ることができる。制御部が、接近情報に基づいて、吹出部が吹き出す空気の風量を制御する。床下のうちの第１床下とは別の一部である第２床下の上方空間から空気を吸い込むことができる。吸い込んだ空気を吹出部へ向かわせる流れを発生させることができる。吹出部が、第１床下の上方空間に空気を吹き出す。
【０００８】
したがって、接近情報に基づいて吹出部が吹き出す空気の風量を制御するので、第１床下の上方空間を人が通過する際に、吹出部が吹き出す空気の風量を低減することができるため、付近を通過する人の不快感を低減することができる。また、第１床下の上方空間を人が通過しない際に、吹出部が吹き出す空気の風量を増加することができるため、床下の上方空間のサーキュレーションを行って温度ムラを十分に低減することができる。さらに、第１床下に設置されるため、台数を増やしても、第１床下の上方空間を人が通過する際に妨げとなることを低減することができるため、付近を通過する人の不快感を低減することができるとともに、床下の上方空間のサーキュレーションを行って温度ムラを十分に低減することができる。このため、付近を通過する人の不快感を低減しながら床下の上方空間の温度ムラを十分に低減することができる。
【０００９】
第２発明に係るファンユニットは、第１発明のファンユニットであって、制御部は、床下の上方空間に温度ムラがある場合に、吹出部が吹き出す空気の風量を増加する。
このファンユニットでは、検知部が、接近情報を検知する。制御部が、接近情報を受け取ることができる。制御部が、接近情報に基づいて、吹出部が吹き出す空気の風量を制御する。床下のうちの第１床下とは別の一部である第２床下の上方空間から空気を吸い込むことができる。吸い込んだ空気を吹出部へ向かわせる流れを発生させることができる。吹出部が、第１床下の上方空間に空気を吹き出す。制御部が、床下の上方空間に温度ムラがある場合に、吹出部が吹き出す空気の風量を増加する。
【００１０】
したがって、床下の上方空間に温度ムラがある場合に吹出部が吹き出す空気の風量を増加するので、サーキュレーションが必要なときに床下の上方空間のサーキュレーションを促進することができる。
第３発明に係るファンユニットは、第１発明又は第２発明のファンユニットであって、吸込部をさらに備える。吸込部は、第２床下の上方空間から空気を吸い込む。第２床下は、床下のうちの第１床下とは別の一部である。
【００１１】
このファンユニットでは、検知部が、接近情報を検知する。制御部が、接近情報を受け取ることができる。制御部が、接近情報に基づいて、吹出部が吹き出す空気の風量を制御する。吸込部が、第２床下の上方空間から空気を吸い込む。吸込部から吹出部へ向かう空気の流れを発生させることができる。吹出部が、第１床下の上方空間に空気を吹き出す。
したがって、第２床下の上方空間から吸い込んだ空気を第１床下の上方空間に吹き出すので、第１床下の上方空間の温度と第２床下の上方空間の温度とのムラを低減することができる。また、第１床下の上方空間から第２床下の上方空間へ向かう気流を発生させることができるため、床下の上方空間における温度ムラを低減することができる。
【００１２】
第４発明に係るファンユニットは、第３発明のファンユニットであって、吹出部及び吸込部の少なくとも一方は、ファンを有する。ファンは、吸込部から吹出部へ向かう空気の流れを発生させる。
このファンユニットでは、検知部が、接近情報を検知する。制御部が、接近情報を受け取ることができる。制御部が、接近情報に基づいて、吹出部が吹き出す空気の風量を制御する。吸込部が、第２床下の上方空間から空気を吸い込む。ファンが、吸込部から吹出部へ向かう空気の流れを発生させる。吹出部が、第１床下の上方空間に空気を吹き出す。
【００１３】
したがって、吸込部から吹出部へ向かう空気の流れを発生させるので、吸込部から吸い込んだ空気を吹出部から吹き出すことができる。
第５発明に係るファンユニットは、第１発明から第４発明のいずれかのファンユニットであって、検知部は、反射波を検知すること又は人が発する赤外線を検知することにより、接近情報を検知する。反射波は、超音波、電磁波及びマイクロ波の少なくとも１つが人で反射された波である。
【００１４】
このファンユニットでは、検知部が、接近情報を検知する。検知部が、反射波を検知すること又は人が発する赤外線を検知することにより、接近情報を検知する。制御部が、接近情報を受け取ることができる。制御部が、接近情報に基づいて、吹出部が吹き出す空気の風量を制御する。床下のうちの第１床下とは別の一部である第２床下の上方空間から空気を吸い込むことができる。吸い込んだ空気を吹出部へ向かわせる流れを発生させることができる。吹出部が、第１床下の上方空間に空気を吹き出す。
【００１５】
したがって、反射波を検知すること又は人が発する赤外線を検知することにより接近情報を検知するので、接近情報を容易に検知することができる。
第６発明に係るファンユニットは、第３発明又は第４発明のファンユニットであって、床構造は、互いに接合可能な複数の単位構造を有する。単位構造は、単位接合部を含む。単位接合部は、他の単位構造に接合する。ファンユニットは、ファン接合部をさらに備える。ファン接合部は、吹出部及び吸込部の少なくとも一方を単位接合部に接続する。
【００１６】
このファンユニットでは、検知部が、接近情報を検知する。制御部が、接近情報を受け取ることができる。制御部が、接近情報に基づいて、吹出部が吹き出す空気の風量を制御する。吸込部が、第２床下の上方空間から空気を吸い込む。吸込部から吹出部へ向かう空気の流れを発生させることができる。吹出部が、第１床下の上方空間に空気を吹き出す。単位構造の単位接合部が、他の単位構造に接合する。ファン接合部が、吹出部及び吸込部の少なくとも一方を単位接合部に接続する。
【００１７】
したがって、吹出部及び吸込部の少なくとも一方を単位接合部に接続するので、吹出部及び吸込部の少なくとも一方の床構造におけるレイアウトを容易に変更することができる。
第７発明に係るファンユニットは、第３発明又は第４発明のファンユニットであって、空気清浄部をさらに備える。空気清浄部は、吸込部が吸い込んだ空気を清浄する。
【００１８】
このファンユニットでは、検知部が、接近情報を検知する。制御部が、接近情報を受け取ることができる。制御部が、接近情報に基づいて、吹出部が吹き出す空気の風量を制御する。吸込部が、第２床下の上方空間から空気を吸い込む。空気清浄部が、吸込部が吸い込んだ空気を清浄する。吸込部から吹出部へ向かう空気の流れを発生させることができる。吹出部が、第１床下の上方空間に空気を吹き出す。
【００１９】
したがって、第２床下の上方空間から空気を吸い込んで清浄するので、第２床下の上方空間における埃やカビなどを効率的に吸い込むことができる。このため、第２床下の上方空間の空気を効率的に清浄することができる。
第８発明に係るファンユニットは、第１発明から第７発明のいずれかのファンユニットであって、空気清浄部をさらに備える。空気清浄部は、吹出部が吹き出すための空気を清浄する。
【００２０】
このファンユニットでは、検知部が、接近情報を検知する。制御部が、接近情報を受け取ることができる。制御部が、接近情報に基づいて、吹出部が吹き出す空気の風量を制御する。床下のうちの第１床下とは別の一部である第２床下の上方空間から空気を吸い込むことができる。吸い込んだ空気を吹出部へ向かわせる流れを発生させることができる。空気清浄部が、吹出部が吹き出すための空気を清浄する。吹出部が、第１床下の上方空間に空気を吹き出す。
【００２１】
したがって、清浄した空気を第１床下の上方空間に吹き出すので、第１床下の上方空間に埃やカビなどを吹き出すことを低減することができる。
第９発明に係る制御方法は、床下に所定の空間を持つ床構造において第１床下の上方空間に吹き出す空気が制御される制御方法であって、検知ステップと制御ステップとを備える。第１床下は、床下のうちの一部である。検知ステップでは、接近情報が検知される。接近情報は、第１床下の上方空間に人が近づいてきたことを示す情報である。制御ステップでは、接近情報に基づいて、第１床下の上方空間に吹き出される空気の風量が制御される。
【００２２】
この制御方法では、検知ステップにおいて、接近情報が検知される。制御ステップにおいて、接近情報が受け取られ得る。制御ステップにおいて、接近情報に基づいて、吹出部が吹き出す空気の風量が制御される。床下のうちの第１床下とは別の一部である第２床下の上方空間から空気が吸い込まれ得る。吸い込まれた空気が、第１床下の上方空間に吹き出され得る。
【００２３】
したがって、接近情報に基づいて吹出部が吹き出す空気の風量を制御するので、第１床下の上方空間を人が通過する際に、吹出部が吹き出す空気の風量を低減することができるため、付近を通過する人の不快感を低減することができる。また、第１床下の上方空間を人が通過しない際に、吹出部が吹き出す空気の風量を増加することができるため、床下の上方空間のサーキュレーションを行って温度ムラを十分に低減することができる。さらに、第１床下に設置されるため、台数を増やしても、第１床下の上方空間を人が通過する際に妨げとなることを低減することができるため、付近を通過する人の不快感を低減することができ、床下の上方空間のサーキュレーションを行って温度ムラを十分に低減することができる。このため、付近を通過する人の不快感を低減しながら床下の上方空間の温度ムラを十分に低減することができる。
【発明の効果】
【００２４】
第１発明に係るファンユニットでは、接近情報に基づいて吹出部が吹き出す空気の風量を制御するので、第１床下の上方空間を人が通過する際に、吹出部が吹き出す空気の風量を低減することができるため、付近を通過する人の不快感を低減することができる。また、第１床下の上方空間を人が通過しない際に、吹出部が吹き出す空気の風量を増加することができるため、床下の上方空間のサーキュレーションを行って温度ムラを十分に低減することができる。さらに、第１床下に設置されるため、台数を増やしても、第１床下の上方空間を人が通過する際に妨げとなることを低減することができるため、付近を通過する人の不快感を低減することができ、床下の上方空間のサーキュレーションを行って温度ムラを十分に低減することができる。このため、付近を通過する人の不快感を低減しながら床下の上方空間の温度ムラを十分に低減することができる。
【００２５】
第２発明に係るファンユニットでは、床下の上方空間に温度ムラがある場合に吹出部が吹き出す空気の風量を増加するので、サーキュレーションが必要なときに床下の上方空間のサーキュレーションを促進することができる。
第３発明に係るファンユニットでは、第２床下の上方空間から吸い込んだ空気を第１床下の上方空間に吹き出すので、第１床下の上方空間の温度と第２床下の上方空間の温度とのムラを低減することができる。また、第１床下の上方空間から第２床下の上方空間へ向かう気流を発生させることができるため、床下の上方空間における温度ムラを低減することができる。
【００２６】
第４発明に係るファンユニットでは、吸込部から吹出部へ向かう空気の流れを発生させるので、吸込部から吸い込んだ空気を吹出部から吹き出すことができる。
第５発明に係るファンユニットでは、反射波を検知すること又は人が発する赤外線を検知することにより接近情報を検知するので、接近情報を容易に検知することができる。
第６発明に係るファンユニットでは、吹出部及び吸込部の少なくとも一方を単位接合部に接続するので、吹出部及び吸込部の少なくとも一方の床構造におけるレイアウトを容易に変更することができる。
【００２７】
第７発明に係るファンユニットでは、第２床下の上方空間から空気を吸い込んで清浄するので、第２床下の上方空間における埃やカビなどを効率的に吸い込むことができる。このため、第２床下の上方空間の空気を効率的に清浄することができる。
第８発明に係るファンユニットでは、清浄した空気を第１床下の上方空間に吹き出すので、第１床下の上方空間に埃やカビなどを吹き出すことを低減することができる。
【００２８】
第９発明に係る制御方法では、接近情報に基づいて吹出部が吹き出す空気の風量を制御するので、第１床下の上方空間を人が通過する際に、吹出部が吹き出す空気の風量を低減することができるため、付近を通過する人の不快感を低減することができる。また、第１床下の上方空間を人が通過しない際に、吹出部が吹き出す空気の風量を増加することができるため、床下の上方空間のサーキュレーションを行って温度ムラを十分に低減することができる。さらに、第１床下に設置されるため、台数を増やしても、第１床下の上方空間を人が通過する際に妨げとなることを低減することができるため、付近を通過する人の不快感を低減することができ、床下の上方空間のサーキュレーションを行って温度ムラを十分に低減することができる。このため、付近を通過する人の不快感を低減しながら床下の上方空間の温度ムラを十分に低減することができる。
【発明を実施するための最良の形態】
【００２９】
［第１実施形態］
図１に、本発明の第１実施形態に係るファンユニット群Ｕ（Ｕａ，Ｕｂ，・・・）の構成図を示す。また、ファンユニット群Ｕ（Ｕａ，Ｕｂ，・・・）の構成要素の斜視図を図２，図３に示す。ファンユニット群Ｕ（Ｕａ，Ｕｂ，・・・）の構成要素の構成図を図５に示す。ファンユニット群Ｕ（Ｕａ，Ｕｂ，・・・）は、主として、オフィス１の床下Ｂに所定の空間を持つ床構造において第１床下Ｂ１ａ，Ｂ１ｂ，・・・に設置される。第１床下Ｂ１ａ，Ｂ１ｂ，・・・は、床下Ｂのうちの一部である。
【００３０】
＜床構造の構成＞
図１に示すように、床構造は、主として、単位構造３０ａ，３０ｂ，・・・と接合部材４０ａ，４０ｂ，・・・とを備える。図４に示すように、単位構造３０ａ，・・・は、主として、単位接合部３３ａ，・・・を備える。単位接合部３３ａ，・・・は、四隅に形成されている。
【００３１】
図１に示すように、単位構造３０ａ，３０ｂ，・・・は、ほぼ同形同寸法であり、互いに置き換え可能となっている。単位構造３０ａ，３０ｂ，・・・と他の単位構造３０ａ，３０ｂ，・・・とは、単位接合部３３ａ，・・・が接合部材４０ａ，４０ｂ，・・・にはめ込まれることにより、互いに接合されている。
＜ファンユニット群Ｕ（Ｕａ，Ｕｂ，・・・）の全体構成＞
図１に示すファンユニットＵａは、主として、吹出ユニット１０ａと吸込ユニット２０ａとを備える。
【００３２】
図１に示すように、吹出ユニット１０ａと吸込ユニット２０ａとは、それぞれ、単位構造３０ａ，３０ｂ，・・・とほぼ同形同寸法であり、単位構造３０ａ，３０ｂ，・・・と置き換え可能となっている。吹出ユニット１０ａと吸込ユニット２０ａとは、後述のファン接合部１３ａ（図２参照）や後述のファン接合部２３ａ（図３参照）が接合部材４０ｉにはめ込まれることにより、互いに接合されている。単位構造３０ｅと吸込ユニット２０ａとは、単位接合部３３ｅ（図示せず）や後述のファン接合部２３ａ（図３参照）が接合部材４０ｈにはめ込まれることにより、互いに接合されている。
【００３３】
なお、単位構造３０ａ，３０ｂ，・・・の上は、机５０ａ，５０ｂ，・・・が置かれ、人Ｐａ，・・・が作業を行う場所となっている。それに対して、吹出ユニット１０ａの上と吸込ユニット２０ａの上とは、通常、人Ｐａ，・・・がいない場所が選択される。
他のファンユニットＵｂ，・・・も、ファンユニットＵａと同様である。
＜吸込ユニット２０ａ，・・・の構成＞
図１に示す吸込ユニット２０ａは、図５に示すように、主として、吸込部２１ａ及びファン接合部２３ａを備える。図３に示すように、吸込部２１ａは、主として、吸込口Ｉａを有する。吸込口Ｉａは、上面に長方形状に形成されている。ファン接合部２３ａは、四隅に形成されている。
【００３４】
図５に示す吸込部２１ａが、第２床下Ｂ２ａ（図１参照）の上方空間Ａ２ａ（図１参照）から空気を吸い込む。第２床下Ｂ２ａ（図１参照）は、床下Ｂ（図１参照）のうち第１床下Ｂ１ａ，Ｂ１ｂ，・・・（図１参照）と別の一部である。
他の吸込ユニット２０ｂ，・・・も、吸込ユニット２０ａと同様である。
＜吹出ユニット１０ａ，・・・の構成＞
図１に示す吹出ユニット１０ａは、図５に示すように、主として、検知部１２ａ，制御部１４ａ，吹出部１１ａ及びファン接合部１３ａを備える。吹出部１１ａは、主として、ファンＦａ（図１参照）と吹出口Ｏａとを有する。図２に示すように、吹出部１１ａは、上面に円形状に形成されている。ファン接合部１３ａは、四隅に形成されている。検知部１２ａは、吹出口Ｏａの上部に設けられている。
【００３５】
図５に示す検知部１２ａが、接近情報を検知する。ここで、接近情報は、第１床下Ｂ１ａ（図１参照）の上方空間Ａ１ａ（図１参照）に（例えば、半径１メートル以内に）人が近づいてきたことを示す情報である。すなわち、検知部１２ａが、反射波を検知することにより、接近情報を検知する。ここで、反射波は、超音波が人で反射された波である。制御部１４ａが、接近情報を検知部１２ａから受け取る。制御部１４ａが、接近情報に基づいて、吹出部１１ａが吹き出す空気の風量を制御する制御信号を生成する。吹出部１１ａのファンＦａが制御信号を制御部１４ａから受け取る。吹出部１１ａのファンＦａが、制御信号に基づいて、回転する。これにより、吹出部１１ａのファンＦａが、吸込部２１ａから吹出部１１ａへ向かう空気の流れ（図１の矢印参照）を発生させる。吹出部１１ａが、第１床下Ｂ１ａ（図１参照）の上方空間Ａ１ａ（図１参照）に空気を吹き出す。あるいは、吹出部１１ａのファンＦａが、制御信号に基づいて、停止する。これにより、吹出部１１ａのファンＦａが、吸込部２１ａから吹出部１１ａへ向かう空気の流れ（図１の矢印参照）を発生させない。そして、吹出部１１ａが、第１床下Ｂ１ａ（図１参照）の上方空間Ａ１ａ（図１参照）に空気を吹き出さない。すなわち、第１床下Ｂ１ａ（図１参照）の上方空間Ａ１ａ（図１参照）に吹き出す空気の量がゼロに制御される。
【００３６】
他の吹出ユニット１０ｂ，・・・も、吹出ユニット１０ａと同様である。
＜ファンＦａ，・・・の構成＞
図１に示すファンＦａ，・・・は、図６に示すように、主として、ハブ９１と翼９２とを備える。
翼９２は、上方から下方にかけて斜めに傾斜しており、水平方向に対する傾斜の角度が上方に行くに従って大きくなっている。このため、黒い矢印の方向に翼９２を回転することにより、側方から吸い込んだ空気（白い矢印参照）を上方へ吹き上げる（白い矢印参照）ようにすることが可能である。
【００３７】
＜ファンユニット群Ｕ（Ｕａ，Ｕｂ，・・・）の動作＞
図１に示すファンユニット群Ｕ（Ｕａ，Ｕｂ，・・・）の動作を、図７に示すフローチャートを用いて説明する。なお、図７では、ファンユニットＵａの動作を例に説明するが、他のファンユニットＵｂ，・・・の動作も同様である。
図７に示すステップＳ１では、接近情報が検知される。すなわち、図５に示す検知部１２ａにより、接近情報が検知される。ここで、接近情報は、第１床下Ｂ１ａ（図１参照）の上方空間Ａ１ａ（図１参照）に（例えば、半径１メートル以内に）人が近づいてきたことを示す情報である。すなわち、検知部１２ａにより、反射波を検知することにより、接近情報が検知される。ここで、反射波は、超音波が人で反射された波である。
【００３８】
図７に示すステップＳ２では、人が近づいているか否かが判断される。すなわち、図５に示す制御部１４ａにより、接近情報が検知部１２ａから受け取られる。制御部１４ａにより、接近情報に基づいて、第１床下Ｂ１ａ（図１参照）の上方空間Ａ１ａ（図１参照）に人が近づいているか否かが判断される。人が近づいていると判断された場合、ステップＳ３へ進められ、人が近づいていないと判断された場合、ステップＳ４へ進められる。
【００３９】
図７に示すステップＳ３では、ファンＦａが停止する。すなわち、図５に示す制御部１４ａにより、接近情報に基づいて、吹出部１１ａが吹き出す空気の風量をゼロにする制御信号が生成される。吹出部１１ａのファンＦａにより制御信号が制御部１４ａから受け取られる。吹出部１１ａのファンＦａが、制御信号に基づいて、停止する。これにより、吹出部１１ａのファンＦａにより、吸込部２１ａから吹出部１１ａへ向かう空気の流れ（図１の矢印参照）が発生されない。そして、吹出部１１ａにより、第１床下Ｂ１ａ（図１参照）の上方空間Ａ１ａ（図１参照）に空気が吹き出されない。
【００４０】
図７に示すステップＳ４では、ファンＦａが稼働される。すなわち、図５に示す制御部１４ａにより、接近情報に基づいて、吹出部１１ａが吹き出す空気の風量を所定値にする制御信号が生成される。吹出部１１ａのファンＦａにより制御信号が制御部１４ａから受け取られる。吹出部１１ａのファンＦａが、制御信号に基づいて、回転する。これにより、吹出部１１ａのファンＦａにより、吸込部２１ａから吹出部１１ａへ向かう空気の流れ（図１の矢印参照）が発生される。吹出部１１ａにより、第１床下Ｂ１ａ（図１参照）の上方空間Ａ１ａ（図１参照）に空気が吹き出される。
【００４１】
＜ファンユニット群Ｕ（Ｕａ，Ｕｂ，・・・）の特徴＞
（１）
ここでは、図５に示す検知部１２ａ，・・・が、接近情報を検知する。制御部１４ａ，・・・が、接近情報を検知部１２ａ，・・・から受け取る。制御部１４ａ，・・・が、接近情報に基づいて、吹出部１１ａ，・・・が吹き出す空気の風量を制御する。第２床下Ｂ２ａ，・・・（図１参照）の上方空間Ａ２ａ，・・・（図１参照）から空気が吸い込まれる。吸い込まれた空気を吹出部１１ａ，・・・へ向かわせる流れが発生される（図１の白い矢印参照）。吹出部１１ａ，・・・が、第１床下Ｂ１ａ，・・・（図１参照）の上方空間Ａ１ａ，・・・（図１参照）に空気を吹き出す。
【００４２】
したがって、接近情報に基づいて吹出部１１ａ，・・・が吹き出す空気の風量を制御するので、第１床下Ｂ１ａ，・・・（図１参照）の上方空間Ａ１ａ，・・・（図１参照）を人が通過する際に、吹出部１１ａ，・・・が吹き出す空気の風量を低減することが可能であるため、付近を通過する人の不快感を低減することが可能である。また、第１床下Ｂ１ａ，・・・（図１参照）の上方空間Ａ１ａ，・・・（図１参照）を人が通過しない際に、吹出部１１ａ，・・・が吹き出す空気の風量を増加することが可能であるため、床下Ｂ（図１参照）の上方空間のサーキュレーションを行って温度ムラを十分に低減することができる。さらに、第１床下Ｂ１ａ，・・・（図１参照）に設置されるため、台数を増やしても、第１床下Ｂ１ａ，・・・（図１参照）の上方空間Ａ１ａ，・・・（図１参照）を人が通過する際に妨げとなることを低減することが可能であるため、付近を通過する人の不快感を低減することができるとともに、床下Ｂ（図１参照）の上方空間のサーキュレーションを行って温度ムラを十分に低減することが可能である。このため、付近を通過する人の不快感を低減しながら床下の上方空間の温度ムラを十分に低減することが可能である。
【００４３】
（２）
ここでは、図５に示す検知部１２ａ，・・・が、接近情報を検知する。制御部１４ａ，・・・が、接近情報を検知部１２ａ，・・・から受け取る。制御部１４ａ，・・・が、接近情報に基づいて、吹出部１１ａ，・・・が吹き出す空気の風量を制御する。吸込部２１ａ，・・・が、第２床下Ｂ２ａ，・・・（図１参照）の上方空間Ａ２ａ，・・・（図１参照）から空気を吸い込む。吸込部２１ａ，・・・から吹出部１１ａ，・・・へ向かう空気の流れが発生される（図１の白い矢印参照）。吹出部１１ａ，・・・が、第１床下Ｂ１ａ，・・・（図１参照）の上方空間Ａ１ａ，・・・（図１参照）に空気を吹き出す。
【００４４】
したがって、第２床下Ｂ２ａ，・・・（図１参照）の上方空間Ａ２ａ，・・・（図１参照）から吸い込んだ空気を第１床下Ｂ１ａ，・・・（図１参照）の上方空間Ａ１ａ，・・・（図１参照）に吹き出すので、第１床下Ｂ１ａ，・・・（図１参照）の上方空間Ａ１ａ，・・・（図１参照）の温度と第２床下Ｂ２ａ，・・・（図１参照）の上方空間Ａ２ａ，・・・（図１参照）の温度とのムラを低減することが可能である。また、第１床下Ｂ１ａ，・・・（図１参照）の上方空間Ａ１ａ，・・・（図１参照）から第２床下Ｂ２ａ，・・・（図１参照）の上方空間Ａ２ａ，・・・（図１参照）へ向かう気流を発生させることができるため、床下Ｂ（図１参照）の上方空間における温度ムラを低減することが可能である。
【００４５】
（３）
ここでは、図５に示す検知部１２ａ，・・・が、接近情報を検知する。制御部１４ａ，・・・が、接近情報を検知部１２ａ，・・・から受け取る。制御部１４ａ，・・・が、接近情報に基づいて、吹出部１１ａ，・・・が吹き出す空気の風量を制御する。吸込部２１ａ，・・・が、第２床下Ｂ２ａ，・・・（図１参照）の上方空間Ａ２ａ，・・・（図１参照）から空気を吸い込む。吹出部１１ａ，・・・のファンＦａ，・・・が、吸込部２１ａ，・・・から吹出部１１ａ，・・・へ向かう空気の流れを発生させる。吹出部１１ａ，・・・が、第１床下Ｂ１ａ，・・・（図１参照）の上方空間Ａ１ａ，・・・（図１参照）に空気を吹き出す。
【００４６】
したがって、吸込部２１ａ，・・・から吹出部１１ａ，・・・へ向かう空気の流れを発生させるので、吸込部２１ａ，・・・から吸い込んだ空気を吹出部１１ａ，・・・から吹き出すことが可能である。
（４）
ここでは、図５に示す検知部１２ａ，・・・が、接近情報を検知する。すなわち、検知部１２ａが、反射波を検知することにより、接近情報を検知する。ここで、反射波は、超音波が人で反射された波である。制御部１４ａ，・・・が、接近情報を検知部１２ａ，・・・から受け取る。制御部１４ａ，・・・が、接近情報に基づいて、吹出部１１ａ，・・・が吹き出す空気の風量を制御する。第２床下Ｂ２ａ，・・・（図１参照）の上方空間Ａ２ａ，・・・（図１参照）から空気が吸い込まれる。吸い込まれた空気を吹出部１１ａ，・・・へ向かわせる流れが発生される（図１の白い矢印参照）。吹出部１１ａ，・・・が、第１床下Ｂ１ａ，・・・（図１参照）の上方空間Ａ１ａ，・・・（図１参照）に空気を吹き出す。
【００４７】
したがって、反射波を検知することにより接近情報を検知するので、接近情報を容易に検知することが可能である。
（５）
ここでは、図５に示す検知部１２ａ，・・・が、接近情報を検知する。制御部１４ａ，・・・が、接近情報を検知部１２ａ，・・・から受け取る。制御部１４ａ，・・・が、接近情報に基づいて、吹出部１１ａ，・・・が吹き出す空気の風量を制御する。第２床下Ｂ２ａ，・・・（図１参照）の上方空間Ａ２ａ，・・・（図１参照）から空気が吸い込まれる。吸い込まれた空気を吹出部１１ａ，・・・へ向かわせる流れが発生される（図１の白い矢印参照）。吹出部１１ａ，・・・が、第１床下Ｂ１ａ，・・・（図１参照）の上方空間Ａ１ａ，・・・（図１参照）に空気を吹き出す。単位構造３０ａ，・・・（図１参照）の単位接合部３３ａ，・・・（図４参照）が、他の単位構造３０ｂ，・・・（図１参照）に接合する。ファン接合部１３ｂ，・・・（図示せず）が、吹出部１１ｂ，・・・を接合部材４０ｃ，・・・（図１参照）経由で単位接合部３３ａ，・・・（図４参照）に接続する。ファン接合部２３ａ，・・・（図３参照）が、吸込部２１ａ，・・・を接合部材４０ｈ，・・・（図１参照）経由で単位接合部３３ｅ，・・・（図示せず）に接続する。
【００４８】
したがって、吹出部１１ｂ，・・・及び吸込部２１ａ，・・・を単位接合部３３ａ，・・・（図４参照）に接続するので、吹出部１１ｂ，・・・及び吸込部２１ａ，・・・の床構造におけるレイアウトを容易に変更することが可能である。
＜第１実施形態の変形例＞
（Ａ）図５に示すように、吸込ユニット２０ａ，・・・は、空気清浄部２５ａ，・・・をさらに備えても良い。この場合、吸込部２１ａ，・・・が、第２床下Ｂ２ａ，・・・（図１参照）の上方空間Ａ２ａ，・・・（図１参照）から空気を吸い込む。空気清浄部２５ａ，・・・が、吸込部２１ａ，・・・が吸い込んだ空気を清浄する。したがって、第２床下Ｂ２ａ，・・・（図１参照）の上方空間Ａ２ａ，・・・（図１参照）から空気を吸い込んで清浄するので、第２床下Ｂ２ａ，・・・（図１参照）の上方空間Ａ２ａ，・・・（図１参照）における埃やカビなどを効率的に吸い込むことができる。このため、第２床下Ｂ２ａ，・・・（図１参照）の上方空間Ａ２ａ，・・・（図１参照）の空気を効率的に清浄することができる。
【００４９】
（Ｂ）図５に示すように、吹出ユニット１０ａ，・・・は、空気清浄部１５ａ，・・・をさらに備えても良い。この場合、吹出部１１ａ，・・・のファンＦａ，・・・が、吸込部２１ａ，・・・から吹出部１１ａ，・・・へ向かう空気の流れを発生させる。空気清浄部１５ａ，・・・が、吹出部１１ａ，・・・が吹き出すための空気を清浄する。吹出部１１ａ，・・・が、第１床下Ｂ１ａ，・・・（図１参照）の上方空間Ａ１ａ，・・・（図１参照）に空気を吹き出す。したがって、清浄した空気を第１床下Ｂ１ａ，・・・（図１参照）の上方空間Ａ１ａ，・・・（図１参照）に吹き出すので、第１床下Ｂ１ａ，・・・（図１参照）の上方空間Ａ１ａ，・・・（図１参照）に埃やカビなどを吹き出すことを低減することができる。
【００５０】
（Ｃ）図５に示す吹出ユニット１０ａ，・・・は、図８に示すような外形であっても良い。すなわち、吹出部１１ａは、上面に長円形状に形成されてもよい。あるいは、吹出部１１ａは、第１床下Ｂ１ａ，・・・（図１参照）の上方空間Ａ１ａ，・・・（図１参照）に空気を吹き出すことが可能であれば、どのような外形であっても良い。
（Ｄ）図９に示すように、ファンユニットＵａａにおいて、吸込部２１ａａ，・・・がさらにファンＦａａ，・・・を有していても良い。この場合、ファンＦａａ，・・・は、ファンＦａ，・・・と同様に、制御信号を制御部１４ａ，・・・から受け取り、制御信号に基づいて回転又は停止する。
【００５１】
したがって、接近情報に基づいて吸込部２１ａａ，・・・が吸い込む空気の風量を制御することができるので、第１床下Ｂ１ａ，・・・（図１参照）の上方空間Ａ１ａ，・・・（図１参照）を人が通過する際に、吸込部２１ａａ，・・・が吸い込む空気の風量を低減することが可能である。また、第１床下Ｂ１ａ，・・・（図１参照）の上方空間Ａ１ａ，・・・（図１参照）を人が通過しない際に、吸込部２１ａａ，・・・が吸い込む空気の風量を増加することが可能である。さらに、第１床下Ｂ１ａ，・・・（図１参照）に設置されるため、第１床下Ｂ１ａ，・・・（図１参照）の上方空間Ａ１ａ，・・・（図１参照）を人が通過する際に妨げとなることを低減することが可能である。このため、付近を通過する人の不快感を低減しながら床下Ｂ（図１参照）の上方空間の温度ムラを十分に低減することが可能である。
【００５２】
（Ｅ）図５に示す吹出ユニット１０ａ，・・・と吸込ユニット２０ａ，・・・とは、一体的に形成されていても良い。すなわち、図１０に示すように、吹出ユニット１０ａ，・・・と吸込ユニット２０ａ，・・・とが一体となりファンユニットＵａｂが形成されていても良い。この場合、上記変形例（Ｄ）と同様に、ファンユニットＵａｂにおいて、吸込部２１ａｂ，・・・がさらにファンＦａｂ，・・・を有していても良い。また、ファンユニットＵａｂは、図１１に示すような外形をしていても良い。吸込口Ｉａｂは、上面に円形状に形成されている。この場合、吹出ユニット１０ａ，・・・と吸込ユニット２０ａ，・・・との位置関係などを考慮する必要がないので、吹出部１１ｂ，・・・及び吸込部２１ａｂ，・・・の床構造におけるレイアウトを容易にさらに変更することが可能である。
【００５３】
（Ｆ）図１２に示すように、吹出ユニット１０ａ，・・・と吸込ユニット２０ｂ，・・・とは、一対一に対応していなくても良い。すなわち、１つの吸込ユニット２０ｂ，・・・に対して、複数の吹出ユニット１０ａ，・・・が対応していても良い。この場合、ファンユニット群Ｕ（Ｕａ，Ｕｂ，・・・）全体の数を減らすことができるので、吹出部１１ｂ，・・・（図５参照）及び吸込部２１ａ，・・・（図５参照）の床構造におけるレイアウトをさらに容易に変更することが可能である。
【００５４】
（Ｇ）吸込部２１ａ，・・・のみがファンを有しており、吹出部１１ａ，・・・がファンＦａ，・・・を有さないように構成されていても良い。この場合でも、吸込部２１ａ，・・・から強制的に空気を吸い込むことにより、吸込部２１ａ，・・・から吹出部１１ａ，・・・へ向かう空気の流れを発生させることができるので、吹出部１１ａ，・・・の吹出口Ｏａ（図２参照）から空気が吹き出されるようにすることができる。
【００５５】
（Ｈ）図７に示すステップＳ３において、図５に示すファンＦａが停止しなくても良い。すなわち、図７に示すステップＳ３において、図５に示すファンＦａの回転速度が弱められても良い。また、図７に示すステップＳ４において、図５に示すファンＦａの回転速度が強められても良い。
（Ｉ）図５に示す検知部１２ａが検知する反射波は、超音波、電磁波及びマイクロ波の少なくとも１つが人で反射された波であってもよい。あるいは、検知部１２ａは、人が発する赤外線を検知することにより、接近情報を検知してもよい。この場合でも、反射波を検知すること又は人が発する赤外線を検知することにより接近情報を検知するので、接近情報を容易に検知することができる。
【産業上の利用可能性】
【００５６】
本発明にかかるファンユニット及び制御方法は、付近を通過する人の不快感を低減しながら床下の上方空間の温度ムラを十分に低減することができるという効果を有し、ファンユニット及び制御方法等として有用である。
【図面の簡単な説明】
【００５７】
【図１】本発明の第１実施形態によるファンユニット群の構成図。
【図２】本発明の第１実施形態による吹出ユニットの斜視図。
【図３】本発明の第１実施形態による吸込ユニットの斜視図。
【図４】本発明の第１実施形態による単位構造の斜視図。
【図５】本発明の第１実施形態によるファンユニットの構成図。
【図６】本発明の第１実施形態によるファンの斜視図。
【図７】ファンユニット群の動作を示すフローチャート。
【図８】本発明の第１実施形態による吹出ユニットの斜視図。
【図９】本発明の第１実施形態によるファンユニットの構成図。
【図１０】本発明の第１実施形態によるファンユニットの構成図。
【図１１】本発明の第１実施形態による吹出ユニットの斜視図。
【図１２】本発明の第１実施形態によるファンユニット群の構成図。
【符号の説明】
【００５８】
１  オフィス
Ｕ  ファンユニット群
１０ａ等  吹出ユニット
２０ａ等  吸込ユニット
３０ａ等  単位構造
４０ａ等  接合部材
Ｂ  床下
Ｂ１ａ等  第１床下
Ｂ２ａ等  第２床下
Ａ１ａ等  第１床下の上方空間
Ａ２ａ等  第２床下の上方空間
【図１】
2005331168.tif 000003
【図２】
2005331168.tif 000004
【図３】
2005331168.tif 000005
【図４】
2005331168.tif 000006
【図５】
2005331168.tif 000007
【図６】
2005331168.tif 000008
【図７】
2005331168.tif 000009
【図８】
2005331168.tif 000010
【図９】
2005331168.tif 000011
【図１０】
2005331168.tif 000012
【図１１】
2005331168.tif 000013
【図１２】
2005331168.tif 000014